(57)【特許請求の範囲】
【請求項１】
電源が遮断されたときに遊技状態が記憶され、電源が再投入されたときに遊技状態が復元されるバックアップ手段を備えた遊技機において、電源が再投入されたときに電源遮断前の遊技状態を復元するかどうかを選択し得るバックアップ要否選択スイッチを電源基板に設け、該バックアップ要否選択スイッチは常態ではバックアップ要に設定されるプッシュボタン型のバックアップ要否選択スイッチであり、該電源基板を覆う基板ケースに止着部を設け、該止着部にコインを係止することにより該バックアップ要否選択スイッチが押圧されバックアップ不要に設定されるようにしたことを特徴とする遊技機。
【請求項２】
電源が遮断されたときに遊技状態が記憶され、電源が再投入されたときに遊技状態が復元されるバックアップ手段を備えた遊技機において、電源が再投入されたときに電源遮断前の遊技状態を復元するかどうかを選択し得るバックアップ要否選択スイッチを電源基板に設け、該バックアップ要否選択スイッチは常態ではバックアップ要に設定されるプッシュボタン型のバックアップ要否選択スイッチであり、該電源基板を覆う基板ケースに止着部を設け、該止着部にパチンコ球を係止することにより該バックアップ要否選択スイッチが押圧されバックアップ不要に設定されるようにしたことを特徴とする遊技機。
【発明の詳細な説明】
【０００１】
【発明の属する技術分野】
本発明は、電源が遮断されたときに遊技状態が記憶され、電源が再投入されたときに遊技状態が復元されるバックアップ手段を備えたパチンコ遊技機等の遊技機に関するものである。
【０００２】
【従来の技術】
周知のように、パチンコ遊技機における遊技制御回路（主基板）および景品球払出制御回路（賞球制御基板）には、従来からバックアップ手段が設けられ、停電時のように電源が突然遮断されたときに、そのパチンコ遊技機の遊技状態が記憶され、電源が再投入されたときに電源遮断前の遊技状態が復元されることで、未払いの景品球を払出し動作したり、大当たり中であるときはその状態を維持させたり、高確率設定、或いは低確率設定であるときはその状態を維持したりすることで、停電発生に伴う遊技客とのトラブルが生じないようにしている。
【０００３】
【発明が解決しようとする課題】
しかしながら、遊技場が一日の営業を終えて電源を遮断したときもこのバックアップ手段が作動するため次の営業日に電源を入れたときに各パチンコ遊技機は前の営業日の遊技状態に自動的に復元され、その結果、遊技者にとって有利なパチンコ遊技機とそうでないパチンコ遊技機とができてしまうという問題があった。
そこで本発明は、このような台によって有利，不利が生じることのないようにするものである。
【０００４】
【課題を解決するための手段】
そのために本発明は、電源が遮断されたときに遊技状態が記憶され、電源が再投入されたときに遊技状態が復元されるバックアップ手段を備えた遊技機において、電源が再投入されたときに電源遮断前の遊技状態を復元するかどうかを選択し得るバックアップ要否選択スイッチを電源基板に設け、該バックアップ要否選択スイッチは常態ではバックアップ要に設定されるプッシュボタン型のバックアップ要否選択スイッチであり、該電源基板を覆う基板ケースに止着部を設け、該止着部にコインを係止することにより該バックアップ要否選択スイッチが押圧されバックアップ不要に設定されるようにしたことを特徴とする。
また本発明は、電源が遮断されたときに遊技状態が記憶され、電源が再投入されたときに遊技状態が復元されるバックアップ手段を備えた遊技機において、電源が再投入されたときに電源遮断前の遊技状態を復元するかどうかを選択し得るバックアップ要否選択スイッチを電源基板に設け、該バックアップ要否選択スイッチは常態ではバックアップ要に設定されるプッシュボタン型のバックアップ要否選択スイッチであり、該電源基板を覆う基板ケースに止着部を設け、該止着部にパチンコ球を係止することにより該バックアップ要否選択スイッチが押圧されバックアップ不要に設定されるようにしたことを特徴とする。
【０００５】
【発明の実施の形態】
次に図面に従い本発明の実施の形態を説明する。図１は本発明に係るパチンコ遊技機の裏面の概略図で、図中、１は景品球タンク、２は球払出装置、３は遊技盤、４は図柄変動表示器、５は打球発射装置である。また、６は電源基板、７は遊技制御回路が構成される主基板、８は球払出制御回路が構成される賞球制御基板、９は発射制御基板、１０はランプ制御基板、１１は音声制御基板、１２は図柄表示制御基板、１３は信号中継基板である。
【０００６】
また、図２はこのパチンコ遊技機の電源系統のブロック図である。同図に示したように、前記電源基板６は、電源スイッチ１５と、整流回路１６と、直流５Ｖ電源を得るためのＤＣ−ＡＣコンバータ１７と、直流１２Ｖ電源を得るためのＤＣ−ＡＣコンバータ１８と、直流３２Ｖ電源を得るための平滑回路１９と、例えば入力電圧が２０Ｖを下回る状態が５０ｍＳ以上続いた場合に作動する停電検出回路２０と、バックアップ用電池２１と、プッシュボタン型のバックアップ要否選択スイッチ２２を具備している。そして、該電源基板６から主基板７，賞球制御基板８，発射制御基板９，ランプ制御基板１０，音声制御基板１１，図柄表示制御基板１２には夫々その作動用電源および動力用電源を供給している。
【０００７】
また、主基板７には大当たり発生等の遊技を演出する遊技制御回路が設けられているとともに、バックアップ用ＲＡＭ２３が設けられ、停電検出回路２０から停電信号を受けたとき現時点の遊技状況、（即ち、大当たり中であるかどうか、高確率設定中であるかどうか等の遊技情報）を該バックアップ用ＲＡＭ２３に記憶し得るようにしている。また賞球制御基板８には遊技盤３面上の各入賞孔から受ける入賞信号を記憶して球払出装置２に景品球の払出しを指令するとともにその実際の払出しを確認する賞球制御回路が設けられているとともに、バックアップ用ＲＡＭ２４が設けられ、停電検出回路２０から停電信号を受けたとき現時点の未払い景品球数等の払出情報を該バックアップ用ＲＡＭ２４に記憶する。なお前記バックアップ用電池２１は該バックアップ用ＲＡＭ２３，２４に作動用電源を供給している。
【０００８】
そして主基板７は電源が再投入され停電検出回路２０からリセット信号を受けると該バックアップ用ＲＡＭ２３に記憶されていた遊技情報に従い該遊技制御回路を継続作動させる。また、賞球制御基板８は電源が再投入され停電検出回路２０からリセット信号を受けると該バックアップ用ＲＡＭ２４に記憶されていた払出情報に従い該賞球制御回路を継続作動させる。なお、前記バックアップ要否選択スイッチ２２は常態ではＯＦＦされていてバックアップ用ＲＡＭ２３，２４が作動するよう設定されている。
【０００９】
また、電源基板６を覆う基板ケース３０は、図３，図４に示したように、一側壁に角形窪み状の保護部３１を形成し、該保護部の底壁にバックアップ要否選択スイッチ２２のプッシュボタン２５が突出する透孔３２を開設するとともに、該保護部の三内壁面にコイン（メダル）等の止着部材３３を着脱自在に係止し得るように夫々突起３４を形成し止着部３５を設けてなる。そして該止着部材３３を係止した場合は、プッシュボタン２５が押圧され、該バックアップ要否選択スイッチ２２がバックアップ不要に設定し得るようにしている。そしてバックアップ不要に設定された場合は、電源が再投入された際に該スイッチ２２からメモリクリア信号が出力されバックアップ用ＲＡＭ２３，２４の記憶がクリアされることから、初期状態で遊技が開始できるようになる。
【００１０】
このため、遊技場は各パチンコ遊技機の止着部３５に止着部材３３を係止しておけば、前の営業日の遊技状態に復元することなく、全ての台が初期状態となってその点での有利，不利が生じることのないようにすることができる。また必要に応じては止着部材３３を外すことによりバックアップが可能となる。そして、止着部材３３の有無によりその設定状況を容易に視認し確かめることができる。
【００１１】
なお、上記保護部３１は基板ケース３０に窪み状に形成されていることから、何らかの衝撃からプッシュボタン２５を保護することができるが、窪み状に形成しなくてもリブ等の保護部材を延設してもよい。またこの実施形態では基板ケース３０の上側壁面に保護部３１を形成したが、何らかの落下物によって無用にプッシュボタン２５が押されないようにするためには保護部３１を側壁面に形成するのがよい。また、この実施形態では止着部材３３としてコインを例示したが、パチンコ球を止着することでプッシュボタン２５が押されるようにしてもよい。
【００１２】
一方、図５に示した本発明の他の実施形態は、前記バックアップ要否選択スイッチ２２にタイマー３６を設け、該タイマー３６は電源遮断時から例えば５時間を経過すると該バックアップ要否選択スイッチ２２が自動的にバックアップ不要に設定されるようにしたものである。このように、タイマー３６を設けた場合は、一日の営業を終え電源が遮断されてから５時間以上経過した時点（次の営業日）で電源が再投入されると、バックアップされることなく自動的にパチンコ遊技機を初期状態に設定できる利点があるとともに、営業時間中に万一停電があった場合にはそのバックアップ機能を発揮され、一時的停電によるトラブル発生を防止することができる。このためこのようなタイマーを設けることによりバックアップの要否設定を自動化することも可能となる。
【００１３】
また、上記タイマーとしては、電源遮断時に関係なく例えば毎日午前３時にバックアップ要否選択スイッチを自動的にバックアップ不要に設定するものであってもよい。
【００１４】
また本発明はこの実施形態に示したパチンコ遊技機に限らず、メダルを使用する回胴式遊技機（スロット）、パチンコ球を使用する回胴式遊技機（パチロット）等の他の遊技機にも使用できることは言うまでもない。
【００１５】
【発明の効果】
以上説明したように本発明では、電源が遮断されたときに遊技状態が記憶され、電源が再投入されたときに遊技状態が復元されるバックアップ手段を備えた遊技機において、電源が再投入されたときに電源遮断前の遊技状態を復元するかどうかを選択し得るバックアップ要否選択スイッチを設けたことから、バックアップの要否が自在に選択され、営業開始時に台による有利，不利が生じないようできるなど、有益な効果がある。
【図面の簡単な説明】
【図１】本発明の実施形態を示すパチンコ遊技機の裏面図。
【図２】本発明の実施形態を示すパチンコ遊技機のブロック図。
【図３】本発明の実施形態を示す電源基板ケースの斜視図。
【図４】図３の電源基板ケースの縦断面図。
【図５】本発明の他の実施形態を示すパチンコ遊技機のブロック図。
【符号の説明】
６              電源基板
７              主基板
８              賞球制御基板
１５            電源スイッチ
２０            停電検出回路
２１            バックアップ用電池
２２            バックアップ要否選択スイッチ
２３，２４      バックアップ用ＲＡＭ
２５            プッシュボタン
３０            基板ケース
３３            止着部材
３５            止着部
３６            タイマー
【図１】
0004644376.tif 000002
【図２】
0004644376.tif 000003
【図３】
0004644376.tif 000004
【図４】
0004644376.tif 000005
【図５】
0004644376.tif 000006